(57)【要約】【課題】入隅部がないペット居住空間を形成することができるペット用サークルを提供する。【解決手段】ペット用サークル１は、少なくとも３つのパネル２と、これらパネル２が相互に連結されて所定形状に組み立てられた際に生じる各連結部分の入隅部４を隠蔽する隅部隠蔽手段と、を備えている。入隅部４を隠蔽する隅部隠蔽手段を備えているので、入隅部４がないペット用サークル１とすることができる。例えば、隅部隠蔽手段は、入隅部４を形成する２つのパネル２のそれぞれに係脱自在に係合する係合手段を両端に備えた隅部隠蔽カバーシート５とされる。これにより、衰弱したペットがペット用サークル１の入隅部４で蹲ってしまうことを防止することができる。【選択図】図１
2009136253.tif 000002
【特許請求の範囲】
【請求項１】
少なくとも３つのパネルと、
これらパネルが相互に連結されて所定形状に組み立てられた際に生じる各連結部分の入隅部を隠蔽する隅部隠蔽手段と
を備えたことを特徴とするペット用サークル。
【請求項２】
請求項１に記載のペット用サークルにおいて、
前記隅部隠蔽手段は、前記入隅部を形成する２つの前記パネルのそれぞれに係脱自在に係合する係合手段を両端に備えた隅部隠蔽カバーシートであることを特徴とするペット用サークル。
【請求項３】
請求項２に記載のペット用サークルにおいて、
前記パネルが、２本の支柱と、この支柱間に介在し上部を支持する上フレームと、この支柱間に介在し下部を支持する下フレームと、これら支柱、上フレーム及び下フレームにより囲まれた領域を覆うシートとで形成され、前記支柱が前記隅部隠蔽カバーシートにより隠されたことを特徴とするペット用サークル。
【請求項４】
請求項１乃至３のいずれか一つに記載のペット用サークルにおいて、
前記パネルには、ペット用出入り口が設けられたことを特徴とするペット用サークル。
【発明の詳細な説明】
【技術分野】
【０００１】
本発明は、入隅部がないペット居住空間を形成することができるペット用サークルに関する。
【背景技術】
【０００２】
近年、屋内でペットが飼われることが多い。屋内ではリードを付けないで放し飼いされるが、来客があったときはペットを隔離したい場合がある。また、子供などがいる場合には、ペットを所定の領域に居させておきたいこともある。また、屋外で飼っているペットでも、開放的な空間をペットに提供したいためにケージではなくペット用サークルを用いることもある。
【０００３】
従来のペット用サークルは、例えば、特許文献１に示すように、平面視で矩形とされ、強固な柵により四方を囲って形成されている。柵は鉄製棒を溶接することで形成される。このようにペット用サークルが強固に形成されるのは、犬や猫などのペットが柵を咬むため、簡単に破壊されてしまうからである。
【特許文献１】特開２００５−１６０４３１号公報
【発明の開示】
【発明が解決しようとする課題】
【０００４】
しかしながら、ペットは健康な状態なものばかりでなく、老化や疾病のため衰弱しきったペットもいる。自力での移動が困難となっているペットもいる。このようなペットは、例えば部屋の隅に行き当たったときには自力で曲がることもできず、そのままその場に座り込んでしまうこともあった。
【０００５】
このようなペットを従来の矩形のペット用サークルに入れると、サークルの入隅部で蹲ったまま動かないことがあった。衰弱したペットが動かない状態でいると益々衰弱するおそれがあり、ペットの健康上の問題があった。
【０００６】
本発明はこのような状況に鑑みてなされたものであり、入隅部がないペット居住空間を形成することができるペット用サークルを提供することを目的とする。
【課題を解決するための手段】
【０００７】
本発明に係るペット用サークルは、少なくとも３つのパネルと、これらパネルが相互に連結されて所定形状に組み立てられた際に生じる各連結部分の入隅部を隠蔽する隅部隠蔽手段と、を備えたことを特徴とする。
【０００８】
本発明によれば、入隅部を隠蔽する隅部隠蔽手段を備えているので、入隅部がないペット用サークルとすることができる。これにより、衰弱したペットがペット用サークル内の入隅部で蹲ってしまうことを防止することができる。
【０００９】
上記のペット用サークルにおいて、前記隅部隠蔽手段は、前記入隅部を形成する２つの前記パネルのそれぞれに係脱自在に係合する係合手段を両端に備えた隅部隠蔽カバーシートであることを特徴としてもよい。
【００１０】
この構成によれば、隅部隠蔽手段がシートで形成されているところ、隅部隠蔽カバーシートはシート自体の柔軟性により押圧力に対してその形状を容易に変形させるものであることから、ペットがその隅部隠蔽カバーシートが配置された部分でその隅部隠蔽カバーシートに体重をあずけるように蹲ったときに隅部隠蔽カバーシートがそのペットの体躯に沿って形状を変形させペットの体躯を支持するので、ペットの体躯の一部分にだけ力が加わることを防止することができる。
【００１１】
また、隅部隠蔽手段はパネルに係合手段により係脱自在に係合される構成とされていることから、隅部隠蔽手段を取り外してペット居住空間を広げることもできる。
【００１２】
上記のペット用サークルにおいて、前記パネルが、２本の支柱と、この支柱間に介在し上部を支持する上フレームと、この支柱間に介在し下部を支持する下フレームと、これら支柱、上フレーム及び下フレームにより囲まれた領域を覆うシートとで形成され、前記支柱が前記隅部隠蔽カバーシートにより隠されたことを特徴としてもよい。
【００１３】
この構成によれば、ペット用サークルの周面全体がシートで形成され、支柱は隅部隠蔽カバーシートにより隠されたことから、ペットがペット用サークルのどの場所で横臥しても支柱に当たることがないので、支柱に当たるという不快感の発生を防止することができる。また、ペット用サークルの周面全体がシートで形成され支柱が隠されるので、衰弱したペットがフレームに接触しその反動で転倒するような事故を防止することができる。
【００１４】
上記のペット用サークルにおいて、前記パネルにペット用出入り口を設けたことを特徴としてもよい。
【００１５】
この構成によれば、パネルにペット用出入り口があるので、ペットにペット用サークルへ自由に出入りさせることができる。
【発明の効果】
【００１６】
本発明に係るペット用サークルは、少なくとも３つのパネルと、これらパネルが相互に連結されて所定形状に組み立てられた際に生じる各連結部分の入隅部を隠蔽する隅部隠蔽手段と、を備えているので、入隅部がないペット用サークルとすることができる。これにより、衰弱したペットがペット用サークル内の入隅部で蹲ってしまうことを防止することができる。
【発明を実施するための最良の形態】
【００１７】
以下、本発明の実施の形態を図面に基づいて説明する。
【００１８】
図１は、本発明の実施の形態に係るペット用サークルの斜視図である。図２は、本発明の実施の形態に係るペット用サークルを展開してパーテーションとした状態の斜視図である。図３は、隅部隠蔽カバーシートと取り付け方法を示した説明図である。図４は、側面シートを外したペット用サークルの斜視図である。図５は、側面シートを外したペット用サークルの分解図である。図６は、隅部隠蔽カバーシートの正面図である。図７は、敷きマットの平面図である。
【００１９】
本発明の実施の形態に係るペット用サークル１は、パネル２によりペット居住空間を囲むものであって、パネル２により形成されたサークル内の入隅部４を隅部隠蔽手段により隠蔽したものである。
【００２０】
具体的には、ペット用サークル１は、４つのパネル２と、これらパネル２が相互に連結されて所定形状に組み立てられた際に生じる各連結部分の入隅部４を隠蔽する隅部隠蔽手段とを備えている。また、ペット用サークル１により囲まれたペット居住空間には、図１に示すように、敷きマット６を敷いてもよい。なお、ペット用サークル１を構成するパネル数は４つに限定されるものではなく、少なくとも３つ以上であればよい。
【００２１】
これらパネル２を矩形に配置することにより、ペット居住空間を囲むサークルが形成される。これらパネル２は、鉄製パイプにより形成される。
【００２２】
パネル２は、２本の支柱２３，２３と、この支柱間２３，２３に介在し上部を支持する上フレーム２１と、この支柱間２３，２３に介在し下部を支持する下フレーム２２と、これらフレームにより囲われた部分を覆う側面シート３を備えてなる。
【００２３】
パネル２の上フレーム２１には、隣接するパネル２に係合するフレーム係合手段が設けられている。例えば、図４及び５に示すように、フレーム係合手段は、その基端部４１が上フレーム２１に回動自在に設けられ、その先端部４２が、隣接するパネル２の上フレーム２１に係合する係合杆２４として構成される。具体的には、係合杆２４の基端部４１は、その基端部４１に設けられた貫通穴と上フレーム２１に設けられた貫通穴２６とが同軸に配置され、これら貫通穴に枢軸としてのボルト２５が挿通されると共にそのボルト２５の先端にナット２７が螺嵌されることにより、係合杆２４が上フレーム２１に対して回動自在となるように固定される。また、係合杆２４の基端部４１で使用されるボルト２５の先端部分のネジ山は潰されナット２７が離脱しないようにされている。また、係合杆２４の先端部４２は、その基端部４１の構造と略同様である。すなわち、係合杆２４の先端部４２に設けられた貫通穴２８と隣接した上フレーム２１に設けられた貫通穴２６とが同軸に配置された状態でボルト２５がこれらの貫通穴に挿入されることにより、係合杆２４の先端部４２が上フレーム２１に係合される構造とされている。なお、係合杆２４の先端部４２で使用されるボルト２５のネジ山は潰されず、ナット２７がボルト２５に係脱自在とされている。このような構成により、係合杆２４と上フレーム２１との係合がペット用サークル１の振動等により簡単に外れてしまうことを防止し、且つ、収納等の際には各パネル同士２，２を簡単に分解することができるものとすることができる。
【００２４】
さらに、係合杆２４の先端部４２は、その係合杆２４が設けられたパネル自体にも固定できるように構成されている。具体的には、係合杆２４を上フレーム２１に対して回動させてこの上フレーム２１に沿った状態で固定されるように、係合杆２４が上フレーム２４に沿った状態で係合杆２４の先端部４２が配置される箇所に、その先端部４２を固定するための貫通穴２６が形成されている。そして、係合杆２４の先端部４２を上フレーム２１に固定するときは、その先端部４２に設けられた貫通穴２８と上フレーム２１の貫通穴２６とを同軸にしてこれら貫通穴にボルト２５を挿通してその先端にナット２７を螺合させる。このような構成により、ペット用サークル１を個々のパネル２に分解して収納するときに係合杆２４を固定することができるので、ペット用サークル１をコンパクトに収納することができる。
【００２５】
なお、フレーム係合手段は、このような構成に限定されず、例えば、フレーム係合手段は、係合杆２４の先端に設けられた突起が隣接するパネル２の上フレーム２１に形成された貫通穴２６に係合するものとして構成してもよい。
【００２６】
また、パネル２は、２本の支柱２３，２３、上フレーム２１、下フレーム２２、及び側面シート３で構成し、２本の支柱２３，２３、上フレーム２１、及び下フレーム２２（以下、これらフレームにより形成される枠を矩形フレームともいう。）により囲われた領域には剛性を備えた補強部材が配置されない構造とすることが好ましい。剛性を備えた補強部材とは、例えば鉄棒、強化プラスチックで形成されるものである。
【００２７】
側面シート３は、例えば、その一部分８３がメッシュ状のシートにより形成され、通気性を備えたものとして形成される。
【００２８】
また、側面シート３には、ペットが出入りするためのペット出用入り口３１が設けられている。具体的には、側面シート３には、その一部（以下、その一部を扉部３５という。）が開閉できるように、切り込みが入れられており、この切り込みに沿ってスライド式ファスナ３６が設けられている。そして、この扉部３５の側端に、扉部３５の開状態を維持するための面ファスナ３７が設けられると共に、扉部３５を開いたときにこの面ファスナ３７が当接する位置に、この面ファスナ３７と係合する面ファスナ３８が設けられている。このような構成により、スライド式ファスナ３６の開閉により、扉部３５を開くことができ、また、開いた扉部３５を面ファスナ同士３７，３８の係合により開状態を維持できるものとされる。
【００２９】
さらに、側面シート３には、支柱２３と略平行に、隅部隠蔽カバーシート（隅部隠蔽手段）５を支持する支持手段としての面ファスナ３２が設けられている。
【００３０】
隅部隠蔽手段としての隅部隠蔽カバーシート５は、図６に示すように、側面シート３の面ファスナ３２に係合する面ファスナ（係合手段）５１を両端に備えており、側面シート３に着脱自在なものとされている。
【００３１】
また、隅部隠蔽カバーシート５は、その上辺と下辺のそれぞれにおいてその側端が折り返されることにより内挿空間が形成され、その内挿空間にそれぞれ補強材５２が挿入された構造とされている。補強材５２は、湾曲させることができる材質により形成される。例えば、ポリエチレン等のプラスチックにより補強材５２が形成される。このような構成により、隅部隠蔽カバーシート５を、入隅部４を形成する２つの側面シート３に係合させたときに、シートを弛ませないで固定することができる。
【００３２】
なお、隅部隠蔽手段は、サークルの入隅部４を隠すことができるものであればよく、上記に示した隅部隠蔽カバーシート５のような構成に限定されるものではない。例えば、隅部隠蔽手段を、シートではなく、湾曲可能なプラスチック基板や金属基板により形成してもよい。また、これらプラスチック基板や金属基板を蛇腹状に形成してもよい。
【００３３】
敷きマット６は、ペット用サークル１の内部に敷かれるものであり、パネル２により形成されるサークル形状と同様の形状とされる。また、図７に示すように、敷きマット６には、この敷きマット６をペット用サークル内に敷いたときに支柱２３に近接する部分に、この支柱２３と係合するための支柱係合手段が設けられている。
【００３４】
具体的には、支柱係合手段は、１本の紐により構成され、その中央部がマット６の角部に固定されている。また、その両端にはそれぞれ面ファスナ６２が設けられており、その端部同士が面ファスナ同士６２，６２の当接により互いに係合する構造となっている。
【００３５】
このような構成により、これら各紐６１，６１の間に支柱２３を配置して紐６１の面ファスナ同士６２，６２を係合させることにより、敷きマット６を支柱２３に固定することができる。これにより、敷きマット６のずれが防止される。
【００３６】
ペット用サークル１は、図２に示すように、部屋を仕切るためのパーテーションとして用いたり、部屋の入隅部を隠すためのパーテーションとして用いたりすることができるように構成してもよい。
【００３７】
具体的には、パーテーションは、２又は３つ以上のパネル２を係合して形成される。そして、パネル２の上フレーム２１には、係合用のボルト２５が挿入される貫通穴２６が、２つ以上設けられる。貫通穴２６の１つは、パネル２をペット用サークル１として組み立てるときに用いられる穴とされ、他の１つは、パネル２をパーテーションとして組み立てるときに用いられる穴とされる。
【００３８】
また、６つのパネルを用いることによりサークル形状が六角形となる構成としてもよい。この場合は、２つのパネルのなす角度が１２０度で固定される位置に係合用の貫通穴２６が形成される。
【００３９】
以上のペット用サークル１によれば、入隅部４を隠蔽する隅部隠蔽手段を備えているので、入隅部４がないペット用サークル１とすることができる。これにより、衰弱したペットがペット用サークル１の入隅部４で蹲ってしまうことを防止することができる。
【００４０】
また、隅部隠蔽手段は、入隅部４を形成する２つのパネル２のそれぞれに係合する係合手段を両端に備えた隅部隠蔽カバーシート５として構成されているところ、この隅部隠蔽カバーシート５はシート自体の柔軟性により押圧力に対してその形状を容易に変形させるものであることから、ペットがその隅部隠蔽カバーシート５が配置された部分でその隅部隠蔽カバーシート５に体重をあずけるように蹲ったときに隅部隠蔽カバーシート５がペットの体躯に沿って形状を変形させペットの体躯を支持するので、ペットの体躯の一部分にだけ力が加わることを防止することができる。
【００４１】
また、この隅部隠蔽カバーシート５は、面ファスナ５１と面ファスナ３２との係合によりパネル２に係脱自在に係合される構成とされているので、この隅部隠蔽カバーシート５を取り外してペット居住空間を広げることもできる。
【００４２】
また、ペット用サークル１のパネル２が、２本の支柱２３，２３と、この支柱間２３，２３に介在し上部を支持する上フレーム２１と、この支柱間２３，２３に介在し下部を支持する下フレーム２２と、これら支柱２３、上フレーム２１及び下フレーム２２により囲まれた領域を覆う側面シート３で形成され、これら支柱２３、上フレーム２１及び下フレーム２２により囲まれた領域には補強部材が配置されていないことから、ペットがペット用サークル１のどの場所で横臥しても支柱２３に当たることがないので、支柱２３に当たるという不快感の発生を防止することができる。また、ペット用サークル１の周面全体がシートで形成され隅部隠蔽カバーシート５により支柱２３が隠されるので、衰弱したペットがフレームに接触しその反動で転倒するような事故を防止することができる。
【００４３】
また、そのパネル２にペット出用入り口３１を設けられているので、ペットにペット用サークル１へ自由に出入りさせることができる。
【００４４】
＜他の実施例＞
上記のペット用サークル１において、側面シート３は、３つの矩形フレームにわたって着脱自在に張着されるもの（以下、拡張側面シートという。）として構成してもよい。さらに、拡張側面シートは、他の１つの矩形フレームに張着された側面シートと連結するものとして形成してもよい。
【００４５】
図８（Ａ）は、拡張側面シートの正面図であり、図８（Ｂ）は、拡張側面シートの裏面図である。図９は、拡張側面シートと係合する側面シートの正面図である。図１０は、拡張側面シートが張着されたペット用サークルの斜視図である。
【００４６】
拡張側面シート１０３は、３つの矩形フレームにわたって張着されるシート本体１３１と、支柱２３に係合する支柱係合部１３２と、上フレーム２１に係合する上フレーム係合部１３３と、下フレーム２２に係合する下フレーム係合部１３４と、他の側面シート１０４と連結するシート連結部１３５とを備える。
【００４７】
支柱係合部１３２は、シート本体１３１において支柱２３が配置される場所に沿って配置されている。具体的には、支柱係合部１３２は、拡張側面シート１０３の縦方向（支柱２３が配置される方向）に沿って設けられた２枚のシート１３７，１３７により構成され、それぞれのシートの側端にはスライド式ファスナ１４２が設けられている。そして、支柱係合部１３２は、この２枚のシートの間に支柱２３を内包してスライド式ファスナ１４２を閉じることにより、拡張側面シート１０３と支柱２３とを係合させるものとされている。
【００４８】
また、支柱係合部１３２のうち、シート本体１３１の両端に沿って配置された支柱係合部１３２は、１本の支柱２３を内包できる適切な寸法とされ、シート本体１３１の側端から１／３及び２／３の位置に配置された支柱係合部１３２は、２本の支柱２３を内包できる適切な寸法とされている。このような構成により、３つの矩形クレームを組み合わせたときに側端に配置される１本の支柱２３と、互いに隣接し合う２本の支柱２３，２３が、余分な隙間なく支柱係合部１３２により内包されるので、シート本体１３１を矩形フレームに撓むことなく張着することができる。
【００４９】
上フレーム係合部１３３は、シート本体１３１の上辺に沿って配置されている。具体的には、上フレーム係合部１３３は、拡張側面シート１０３の上辺に沿って設けられたシート１３８により構成され、このシート１３８の側端には面ファスナ１４３が設けられ，このシート１３８の基部には面ファスナ１４４が設けられている。そして、上フレーム係合部１３３は、シート１３８の内側に上フレーム２１を配置し、上フレーム２１を内包しつつシート１３８を折り返してその側端の面ファスナ１４３を基部の面ファスナ１４４に係合させることにより、拡張側面シート１０３の上辺と上フレーム２１とを係合させるものとされている。
【００５０】
下フレーム係合部１３４は、各シート本体１３１の下辺に沿って配置されている。具体的には、下フレーム係合部１３４は、拡張側面シート１０３の下辺に沿って設けられた１枚のシート１３９により構成され、このシート１３９の側端には面ファスナ１４５が設けられ、このシート１３９の基部には面ファスナ１４６が設けられている。そして、下フレーム係合部１３４は、シート１３９の内側に下フレーム２２を配置し、下フレーム２２を内包しつつシート１３９を折り返してその側端の面ファスナ１４５を基部の面ファスナ１４６に係合させることにより、拡張側面シート１０３の下辺と下フレーム２２とを係合させるものとされている。
【００５１】
シート連結部１３５は、拡張側面シート１０３の両端にそれぞれ配置されており、拡張側面シート１０３がパネルに沿って張られたとき、シート連結部１３５が側面シート１０４の支柱２３に沿って配置されるようになっている。
【００５２】
また、シート連結部１３５は、拡張側面シート１０３の縦方向（支柱２３が配置される方向）に沿って設けられたシート１４０により構成され、このシート１４０の側端にはスライド式ファスナ１４７が設けられている。つまり、シート連結部１３５は、拡張側面シート１０３と側面シート１０４を隣接させて、拡張側面シート１０３のシート連結部１３５のスライド式ファスナ１４７と、側面シート１０４の側縁に設けられたスライド式ファスナ１５５とを噛合させることにより、拡張側面シート１０３と側面シート１０４とを連結させるものとして構成されている。
【００５３】
側面シート１０４は、図９に示すように、矩形フレームに張着されるシート本体１３１と、支柱２３に係合する支柱係合部１３２と、上フレーム２１に係合する上フレーム係合部１３３と、下フレーム２２に係合する下フレーム係合部１３４と、拡張側面シート１０３と連結するシート連結部１３５とを備える。これら各構成は拡張側面シート１０３と同様である。
【００５４】
以上の構成によれば、拡張側面シート１０３や側面シート１０４は、支柱係合部１３２、上フレーム係合部１３３及び下フレーム係合部１３４を、支柱２３、上フレーム２１、及び下フレーム２２のそれぞれと係合させることにより、矩形フレームに張着される構造とされているので、矩形フレームから簡単に取り外すことができる。したがって、拡張側面シート１０３や側面シート１０４の洗浄作業を効率的に行うことができる。また、拡張側面シート１０３や側面シート１０４を矩形フレームから分離できるので、拡張側面シート１０３や側面シート１０４が破損した場合でも、全部部材を購入する必要がないので経済的なものとすることができる。さらに、拡張側面シート１０３は、複数の矩形フレームにわたって張着されるものであるので、張着作業の作業時間を短縮化することができる。
【図面の簡単な説明】
【００５５】
【図１】本発明の実施の形態に係るペット用サークルの斜視図である。
【図２】本発明の実施の形態に係るペット用サークルを展開してパーテーションとした状態の斜視図である。
【図３】隅部隠蔽カバーシートと取り付け方法を示した説明図である。
【図４】側面シートを外したペット用サークルの斜視図である。
【図５】側面シートを外したペット用サークルの分解図である。
【図６】隅部隠蔽カバーシートの正面図である。
【図７】敷きマットの平面図である。
【図８（Ａ）】拡張側面シートの正面図である。
【図８（Ｂ）】拡張側面シートの裏面図である。
【図９】拡張側面シートと係合する側面シートの正面図である。
【図１０】拡張側面シートが張着されたペット用サークルの斜視図である。
【符号の説明】
【００５６】
１            ペット用サークル
２            パネル
３            側面シート
４            入隅部
５            隅部隠蔽カバーシート
６            敷きマット
２１          上フレーム
２２          下フレーム
２３          支柱
２４          係合杆
３１          ペット用出入り口
１０３        拡張側面シート
１０４        側面シート
【図１】
2009136253.tif 000003
【図２】
2009136253.tif 000004
【図３】
2009136253.tif 000005
【図４】
2009136253.tif 000006
【図５】
2009136253.tif 000007
【図６】
2009136253.tif 000008
【図７】
2009136253.tif 000009
【図８（Ａ）】
2009136253.tif 000010
【図８（Ｂ）】
2009136253.tif 000011
【図９】
2009136253.tif 000012
【図１０】
2009136253.tif 000013